(57)【要約】【課題】骨見えの発生を抑制することができる配線構造および配線構造の配線方法を提供すること。【解決手段】実施形態に係る配線構造は、配線領域と、分離領域とを備える。配線領域は、複数の導線および複数の導線に囲まれた閉領域を含む。分離領域は、導線が断線された部位である開口部により閉領域が複数連続することで、配線領域を複数の部分領域に分離する。また、分離領域は、閉領域を介して連続する３つの開口部について、任意の２つを通る直線上から残りの１つが外れて配置される。【選択図】図１Ｃ
2019091349.tif 000002
【特許請求の範囲】
【請求項１】
複数の導線および当該複数の導線に囲まれた閉領域を含む配線領域と、
前記導線が断線された部位である開口部により前記閉領域が複数連続することで、前記配線領域を複数の部分領域に分離する分離領域と、を備え、
前記分離領域は、
前記閉領域を介して連続する３つの前記開口部について、任意の２つを通る直線上から残りの１つが外れて配置されること
を特徴とする配線構造。
【請求項２】
前記配線領域は、
第１の方向に沿って配列された複数の第１の前記導線および前記第１の方向とは異なる第２の方向に沿って配列された複数の第２の前記導線とが交差するメッシュパターンを含むこと
を特徴とする請求項１に記載の配線構造。
【請求項３】
前記分離領域は、
前記開口部が前記第１の導線および前記第２の導線が交差する交差位置以外の位置に形成されること
を特徴とする請求項２に記載の配線構造。
【請求項４】
前記分離領域は、
複数の前記開口部のうち、前記連続する３つの前記開口部となる組み合わせの中に、前記開口部が前記第１の導線または前記第２の導線のいずれか一方にのみ形成される前記組み合わせを含むこと
を特徴とする請求項２または３に記載の配線構造。
【請求項５】
前記配線領域は、
第１の電極となる第１電極領域および第２の電極となる第２電極領域を含み、
前記分離領域は、
前記第１電極領域および前記第２電極領域のうち、いずれか一方の電極領域を複数の前記電極領域に分離すること
を特徴とする請求項１〜４のいずれか１つに記載の配線構造。
【請求項６】
複数の導線および当該複数の導線に囲まれた閉領域を含む配線領域を形成する配線工程と、
前記導線を断線させた部位である開口部により前記閉領域を複数連続させることで、前記配線領域を複数の部分領域に分離する分離領域を形成する分離工程と、を含み、
前記分離工程は、
前記閉領域を介して連続する３つの前記開口部について、任意の２つを通る直線上から残りの１つを外して配置すること
を特徴とする配線構造の配線方法。
【発明の詳細な説明】
【技術分野】
【０００１】
本発明は、配線構造および配線構造の配線方法に関する。
【背景技術】
【０００２】
従来、例えば、タッチパネルのように、人が視認するパネル領域内に基板を積層し、かかる基板に電極となる導線を配線する配線構造が知られている。かかる配線構造では、直線状に導線を断線させることで、電極を分離する技術が提案されている（特許文献１参照）。
【先行技術文献】
【特許文献】
【０００３】
【特許文献１】特開２０１４−３８５８９号公報
【発明の概要】
【発明が解決しようとする課題】
【０００４】
しかしながら、従来の技術では、例えば、不透明材料からなる導線を用いた場合、直線状に導線を断線させると、断線した領域が直線として存在しているように見える、いわゆる骨見えが発生し、製品の見栄えが損なわれるおそれがあった。このような骨見えは、不透明材料の導線で特に顕著に発生するが、透明材料の導線でも発生し得る。
【０００５】
本発明は、上記に鑑みてなされたものであって、骨見えの発生を抑制することができる配線構造および配線構造の配線方法を提供することを目的とする。
【課題を解決するための手段】
【０００６】
上述した課題を解決し、目的を達成するために、本発明に係る配線構造は、配線領域と、分離領域とを備える。前記配線領域は、複数の導線および当該複数の導線に囲まれた閉領域を含む。前記分離領域は、前記導線が断線された部位である開口部により前記閉領域が複数連続することで、前記配線領域を複数の部分領域に分離する。また、前記分離領域は、前記閉領域を介して連続する３つの前記開口部について、任意の２つを通る直線上から残りの１つが外れて配置される。
【発明の効果】
【０００７】
本発明によれば、骨見えの発生を抑制することができる。
【図面の簡単な説明】
【０００８】
【図１Ａ】図１Ａは、実施形態に係るタッチパネルの概略構成を示す斜視図である。
【図１Ｂ】図１Ｂは、実施形態に係る導電性フィルムの概略構成を示す図である。
【図１Ｃ】図１Ｃは、実施形態に係る導電性フィルムの拡大図である。
【図２】図２は、実施形態に係る開口部の位置決め方法を説明する図である。
【図３】図３は、実施形態に係る開口部の位置決め方法を説明する図である。
【図４】図４は、実施形態に係る開口部の位置決め方法を説明する図である。
【図５】図５は、実施形態に係る配線構造の配線方法の手順を示すフローチャートである。
【図６】図６は、変形例に係る分離領域を示す図である。
【図７】図７は、変形例に係るタッチパネルを示す図である。
【図８】図８は、変形例に係るタッチパネルを示す図である。
【発明を実施するための形態】
【０００９】
以下、添付図面を参照して、本願の開示する配線構造および配線構造の配線方法の実施形態を詳細に説明する。なお、以下に示す実施形態により本発明が限定されるものではない。
【００１０】
また、以下の実施形態では、タッチパネルにおける電極基板の配線構造を例に挙げて説明するが、配線構造の対象は、タッチパネルに限定されず、例えば、車両のウインドウに貼り付けられるアンテナパターンであってもよく、人が視認する領域に設けられる導線の配線構造であればよい。
【００１１】
まず、図１Ａ〜１Ｃを用いて、実施形態に係る配線構造を適用したタッチパネルの概要について説明する。図１Ａは、実施形態に係るタッチパネルの概略構成を示す斜視図である。図１Ｂは、実施形態に係る導電性フィルムの概略構成を示す図である。図１Ｃは、実施形態に係る導電性フィルムの拡大図である。なお、図１Ａを含む複数の図には、説明を分かり易くするために、タッチパネルの各構成の積層方向をＺ軸とする３次元の直交座標系を付している。
【００１２】
図１Ａに示すように、実施形態に係るタッチパネル１は、パネル２と、導電性フィルム３と、表示装置４とを備える。タッチパネル１は、例えば、車両に搭載されるナビゲーション装置や、スマートフォン、タブレット端末、ＰＣ（Personal  Computer）、電子黒板、ウェアラブル端末等のタッチパネルに用いることができる。
【００１３】
パネル２は、光透過性を有する板状部材であり、例えば、ガラスや透明樹脂等の材料を用いることができる。表示装置４は、例えば、動画や、静止画、テキスト文書等といった任意の画像を表示する。導電性フィルム３は、タッチ位置検出用の電極が設けられるフィルム状の部材である。
【００１４】
具体的には、図１Ｂに示すように、導電性フィルム３は、導線がパターニングされた配線領域３０を備える。配線領域３０は、第１電極領域３１と、第２電極領域３２と、グランド領域３３と、信号線領域３４と、分離領域３５と、ダミー領域３６とを備える。
【００１５】
第１電極領域３１は、例えば、ドライブ電極（第１の電極の一例）であり、図示しない制御回路から信号線領域３４の信号線を介して信号を受け取り第２電極領域３２へ出力する。
【００１６】
また、第１電極領域３１は、例えば、複数の導線が交差するメッシュパターン（図１Ｃ参照）領域である。また、第１電極領域３１は、第２電極領域３２に向かって突出する突出部を有し、かかる突出部から第２電極領域３２へ向かって信号が出力される。なお、図１Ｂでは、第１電極領域３１の上記した突出部は、１つであるが、２つ以上であってもよい。
【００１７】
また、第１電極領域３１は、信号線領域３４を挟む位置において、Ｙ軸を対称軸として線対称の位置にも設けられる。つまり、第１電極領域３１は、信号線領域３４を挟むようにして１対設けられるとともに、Ｙ軸方向である行方向に複数配列される。行方向に並んだ複数の第１電極領域３１は、同一の導線で接続されてから図示しない制御回路に接続される。なお、図１Ｂでは、１対の第１電極領域３１が、行方向に３つ設けられる場合を一例として示しているが、２つ以下であってもよく、４つ以上であってもよい。
【００１８】
また、第１電極領域３１は、Ｘ軸方向である列方向にも複数配列される。具体的には、第１電極領域３１は、分離領域３５を挟む位置において、Ｘ軸を対称軸として線対称の位置に配列される。なお、図１Ｂでは、第１電極領域３１は、Ｘ軸方向に５つ配列される場合を示したが、４つ以下であってもよく、５つ以上であってもよい。
【００１９】
第２電極領域３２は、例えば、センシング領域（第２の電極の一例）であり、第１電極領域３１から入力された信号を制御回路へ出力する。また、第２電極領域３２は、第１電極領域３１と同様にメッシュパターンの領域である。また、第２電極領域３２は、配線領域３０のＸ軸方向である列方向へ延在し、信号線領域３４を挟むようにして１対設けられるとともに、行方向に複数配列される。
【００２０】
そして、タッチパネル１は、図示しない制御回路が第１電極領域３１へ出力した信号と第２電極領域３２から入力される信号の電位差によってタッチ位置を検出する、いわゆる静電容量方式のタッチパネルである。さらに、タッチパネル１は、第１電極領域３１および第２電極領域３２が同層に設けられる１層回路のタッチパネルである。
【００２１】
なお、タッチパネル１は、静電容量方式に限らず、抵抗膜方式等の他の方式であってもよく、導線を用いるものであればよい。また、タッチパネル１は、１層回路に限定されず、２層回路であってもよい。
【００２２】
グランド領域３３は、グランド（接地）として機能する領域であり、図示しない制御回路の基準電位点となる領域である。グランド領域３３は、第２電極領域３２とによってダミー領域３６を挟むようにして設けられる。
【００２３】
信号線領域３４は、第１電極領域３１と制御回路とを接続する信号線が形成される領域である。具体的には、信号線領域３４は、行方向および列方向に配列された複数の第１電極領域３１それぞれに接続され、配線領域３０のＹ軸負方向側である下端側から領域外へ出て制御回路に接続される。
【００２４】
また、信号線領域３４は、Ｙ軸正方向側である上端の１対の第１電極領域３１については、１本の信号線のみが接続される。具体的には、配線領域３０の４つの端辺が導線で囲まれており、信号線領域３４は、Ｙ軸正方向側である上端にある導線に１本の信号線が接続され、かかる導線を介して１対の第１電極領域３１に接続される。
【００２５】
また、信号線領域３４は、複数の導線が折れ曲がるように配列されるジグザグパターン（図１Ｃ参照）の領域である。信号線領域３４は、１つの第１電極領域３１に１本の信号線が接続されるように、導線が断線される。
【００２６】
ダミー領域３６は、第１電極領域３１および第２電極領域３２や、第２電極領域３２およびグランド領域３３を電気的に分離する領域である。ダミー領域３６は、第１電極領域３１および第２電極領域３２と同様にメッシュパターンの領域である。また、ダミー領域３６は、第１電極領域３１および第２電極領域３２それぞれとは隙間を空けることで分離される。
【００２７】
分離領域３５は、列方向に並んだ２つの第１電極領域３１（部分領域の一例）を分離する領域である。ここで、図１Ｃを用いて、分離領域３５についてさらに説明する。図１Ｃでは、分離領域３５およびその周辺を拡大した図を示している。また、図１Ｃには、互いに直交する第１の方向に沿って配列された第１の導線１０および第１の方向とは異なる方向の第２の方向に沿って配列された第２の導線１１と、第１の導線１０および第２の導線１１１によって囲まれた閉領域２０とを含むメッシュパターンを示している。また、図１Ｃでは、２つの第１電極領域３１ａ，３１ｂが分離領域３５によって分離されることとする。
【００２８】
図１Ｃに示すように、分離領域３５は、第１の導線１０および第２の導線１１が断線された部位である開口部４０ａ〜４０ｆによって形成される。より具体的には、分離領域３５は、隣り合う閉領域２０同士が開口部４０ａ〜４０ｆによって繋がることで形成される。つまり、分離領域３５は、閉領域２０が複数連続することで、Ｘ軸正方向側の第１電極領域３１ａと、Ｘ軸負方向側の第１電極領域３１ｂとに分離する。なお、以下では、開口部４０ａ〜４０ｆを区別しない場合、開口部４０と記載する場合がある。
【００２９】
なお、図１Ｃに示す例では、第１の導線１０および第２の導線１１は互いに直交しているが、必ずしも直交する必要はなく、第１の導線１０および第２の導線１１が交差すれば足りる。
【００３０】
ここで、従来の配線構造について説明する。従来の配線構造では、導線を直線状（例えば、Ｙ軸方向と平行な直線）に断線させていた。具体的には、開口部がＹ軸方向に沿って直線状に並ぶようにして電極領域を分離していた。
【００３１】
しかしながら、例えば、不透明材料からなる導線を用いた場合、直線状に導線が断線させると、開口部が直線上に並ぶことで、いわゆる錯視効果（エーレンシュタイン錯視の一種）により、分離領域が直線として存在しているように見える、いわゆる骨見えが発生するおそれがあった。このような骨見えは、不透明材料の導線で特に顕著に発生するが、透明材料の導線でも発生するおそれがあり、タッチパネル製品の見栄えを損なわせる一因となる。
【００３２】
そこで、実施形態に係る配線構造では、開口部４０ａ〜４０ｆが直線状に並ばないようにする。具体的には、実施形態に係る配線構造では、分離領域３５は、閉領域２０を介して連続する３つの開口部４０ａ〜４０ｆについて、任意の２つを通る直線上から残りの１つが外れて配置される。
【００３３】
例えば、６つの開口部４０ａ〜４０ｆのうち、連続する３つの開口部４０ａ，４０ｂ，４０ｃをみた場合、開口部４０ａは、開口部４０ｂおよび開口部４０ｃによって結ばれる直線上には位置していない。
【００３４】
同様に、開口部４０ｂも、開口部４０ａおよび開口部４０ｃによって結ばれる直線上には位置せず、開口部４０ｃも、開口部４０ａおよび開口部４０ｂによって結ばれる直線上には位置していない。
【００３５】
すなわち、連続する３つの開口部４０ａ，４０ｂ，４０ｃは、直線上に並ばないように設けられる。そして、図１Ｃに示すように、６つの開口部４０ａ〜４０ｆの任意の連続する３つの組み合わせについてもみても同様に、直線上には並ばないように配置される。
【００３６】
これにより、６つの開口部４０ａ〜４０ｆを繋いだ場合に、３つ以上の開口部４０ａ〜４０ｆが直線に並ぶことがなくなるため、錯視効果が生じなくなり、複数の開口部４０ａ〜４０ｆにより分離領域３５が直線に見えることはない。従って、実施形態に係る配線構造によれば、骨見えの発生を抑制することができる。
【００３７】
さらに、第１の導線１０と第２の導線１１とが交差するメッシュパターンでは、導線の交差により骨見えがより発生しやすいため、実施形態に係る配線構造を適用することで、メッシュパターンにおける骨見えの発生を効率よく抑えることができる。
【００３８】
なお、実施形態に係る配線構造の配線方法は、導電性フィルム３上に第１の導線１０および第２の導線１１をパターニングした後、開口部４０ａ〜４０ｆとなる位置にはレジストでマスクせずに、エッチング等の導線除去を行うことで実現可能である。
【００３９】
次に、図２を用いて、開口部４０の位置決め方法について説明する。図２は、実施形態に係る開口部４０の位置決め方法を説明する図である。図２では、２つの開口部４０ａ，４０ｂと連続する開口部４０（以下では、開口部４０ｃと記載する）の位置決め方法について説明する。
【００４０】
まず、図２に示すように、左端の閉領域２０の２つの開口部４０ａ，４０ｂを決定したとする。かかる場合、開口部４０ａ，４０ｂに連続する開口部４０ｃの位置を決めるために、まず、２つの開口部４０ａ，４０ｂを通る直線Ｌを引く。
【００４１】
そして、開口部４０ｃは、直線Ｌと第１の導線１０ａとの交点Ｐ以外の位置に決定する。このとき、開口部４０ｃは、第１の導線１０ａおよび第２の導線１１ａの交差位置ＰＩａと、第１の導線１０ｂおよび第２の導線１１ａの交差位置ＰＩｂとは異なる位置であることが好ましい。
【００４２】
これは、仮に、交差位置ＰＩａ，ＰＩｂに開口部４０ｃを設けてしまうと、錯視効果により本来は存在しない円が存在するように見えてしまうためである。従って、開口部４０ｃが交差位置ＰＩａ，ＰＩｂ以外の位置に形成されることで、骨見えの発生を防止できる。
【００４３】
次に、図３および図４を用いて、開口部４０の位置決めについてさらに説明する。図３および図４は、実施形態に係る開口部４０の位置決め方法を説明する図である。図３および図４では、３つの開口部４０（開口部４０−１〜３）それぞれを円（白抜き）で示す。
【００４４】
また、図３では、連続する３つの開口部４０―１〜３が第１の導線１０のみに形成される場合を示す。また、図４では、連続する３つの開口部４０−１〜３のうち、２つの開口部４０−１，２が第１の導線１０に形成され、開口部４０−３が第２の導線１１に形成される場合を示す。
【００４５】
まず、図３を用いて、第１の導線１０のみに形成される場合の開口部４０−１〜３の位置決めについて説明する。なお、「第１の導線１０のみに形成される場合」とは、複数の開口部４０すべて（図１Ｃを例に挙げると、開口部４０ａ〜４０ｆ）が第１の導線１０のみに形成されることに限定されるのではなく、複数の開口部４０に存在する、連続する３つの開口部４０−１〜３の組み合わせのいずれかが第１の導線１０のみに形成されれば足りる。
【００４６】
図３に示すように、２つの開口部４０−１，４０−３は、一方の交差位置ＰＩ２までの距離Ｄ１が略同じであり、残りの開口部４０−２の交差位置ＰＩ２までの距離Ｄ２とは異なる。
【００４７】
つまり、連続する３つの開口部４０−１〜３の距離Ｄ１，Ｄ２を変えることで、直線上に並ばないようにする。これにより、連続する３つの開口部４０−１〜３を第１の導線１０にのみ形成することが可能となる。
【００４８】
さらに、開口部４０−１〜３を第１の導線１０にのみ形成する、すなわち、連続する３つの開口部４０−１〜３が第２の導線１１の延伸方向に沿って配列することで、開口部４０−１〜３を繋ぐ線が第２の導線１１に溶け込むようにカモフラージュされるため、骨見えの発生をより抑えることができる。
【００４９】
さらに、開口部４０−２を中心とする開口部４０−１および開口部４０−３のなす角θは、鋭角であるほど好ましい。具体的には、開口部４０−２の距離Ｄ２は、より長くする、つまり、交差位置ＰＩ２とは反対側の交差位置ＰＩ１に近くなるように配置する。また、開口部４０−１および開口部４０−３の距離Ｄ１は、より短くする、つまり、交差位置ＰＩ２に近くなるように配置する。これにより、連続する３つの開口部４０−１〜３を結ぶ折れ線が直線としてより見えにくくなるため、骨見えの発生を抑制することができる。
【００５０】
なお、図３に示す例では、開口部４０−１および開口部４０−３の距離Ｄ１が同じである場合を示したが、開口部４０−１および開口部４０−３それぞれの距離Ｄ１が異なってもよい。
【００５１】
また、図３では、連続する３つの開口部４０−１〜３が第１の導線１０にのみ設けられる場合について説明したが、無論、連続する３つの開口部４０−１〜３が第２の導線１１にのみ設けられてもよい。
【００５２】
次に、図４を用いて、連続する３つの開口部４０−１〜３が第１の導線１０および第２の導線１１に形成される場合の開口部４０−１〜３の位置決めについて説明する。
【００５３】
図４では、開口部４０−１および開口部４０−２が第１の導線１０に形成され、開口部４０−３が第２の導線１１に形成される場合を示している。
【００５４】
図４に示すように、２つの開口部４０−１，４０−２が第１の導線１０に形成され、残りの開口部４０−３が第２の導線１１に形成される場合、開口部４０−３は、隣り合う２つの交差位置ＰＩ２中央周辺に形成されることが好ましい。
【００５５】
つまり、開口部４０−３の交差位置ＰＩ２それぞれまでの距離Ｄ３および距離Ｄ４の差分がゼロに近いことが好ましい。これにより、製造段階において、第２の導線１１をエッチングする際に誤差により除去量が多くなった場合であっても、交差位置ＰＩ２が除去されることを防止できる。
【００５６】
なお、開口部４０−３は、第２の導線１１の中央周辺以外の位置に配置する必要がある場合、距離Ｄ３が距離Ｄ４よりも短くなるような位置に形成されることが好ましい。これにより、開口部４０−２を中心とする開口部４０−１および開口部４０−３のなす角θがより鋭角になるため、骨見えの発生をより抑えることができる。
【００５７】
次に、図５を用いて、実施形態に配線構造の配線方法について説明する。図５は、実施形態に係る配線構造の配線方法の手順を示すフローチャートである。なお、図５に示す配線方法は、例えば図示しない作業者（あるいは基板の設計者）、作業ロボットによって実行される。
【００５８】
図５に示すように、実施形態に係る配線方法では、まず、複数の導線および複数の導線に囲まれた閉領域２０を含む配線領域３０を形成する（ステップＳ１０１）。配線領域３０は、例えば、メッシュパターンやジグザグパターンとなるように、導線をパターニングすることにより形成される。
【００５９】
つづいて、実施形態に係る配線方法では、開口部４０により閉領域２０を複数連続させることで、配線領域３０を複数の部分領域（例えば、第１電極領域３１）に分離する分離領域３５を形成し（ステップＳ１０２）、配線方法を完了する。分離領域３５は、配線領域３０の導線を断線させて開口部４０を形成し、隣り合う閉領域２０を複数繋げることで形成する。
【００６０】
なお、ステップＳ１０２において、開口部４０を形成する際、閉領域２０を介して連続する３つの開口部４０について、任意の２つを通る直線上から残りの１つを外して配置する。
【００６１】
上述してきたように、実施形態に係る配線構造は、配線領域３０と、分離領域３５とを備える。配線領域３０は、複数の導線１０，１１および複数の導線１０，１１に囲まれた閉領域２０を含む。分離領域３５は、導線１０，１１が断線された部位である開口部４０により閉領域２０が複数連続することで、配線領域３０を複数の部分領域（第１電極領域３１）に分離する。また、分離領域３５は、閉領域２０を介して連続する３つの開口部４０について、任意の２つを通る直線上から残りの１つが外れて配置される。これにより、３つ以上の開口部４０が直線に並ぶことがなくなるため、錯視効果が生じなくなり、複数の開口部４０が直線に見えることがなくなることで、骨見えの発生を抑制することができる。
【００６２】
なお、上述した実施形態では、第１の導線１０および第２の導線１１が交差するメッシュパターンを分離する分離領域３５について説明したが、分離領域３５は、メッシュパターンに限定されるものではなく、信号線領域３４のようなジグザグパターンを分離する場合であってもよい。かかる点について、図６を用いて説明する。
【００６３】
図６は、変形例に係る分離領域３５を示す図である。図６では、第１の導線１０および第２の導線１１が交差位置ＰＩで直角に折れ曲がるジグザグパターンを一例として示す。なお、第１の導線１０および第２の導線１１は、交差位置ＰＩで直角に折れ曲がる場合に限定されず、鋭角に折れ曲がってもよく、鈍角に折れ曲がってもよい。また、第１の導線１０および第２の導線１１の交差位置ＰＩ間における距離は、双方が同じであってもよく、異なってもよい。また、図６に示す閉領域２０は、配線領域３０の上述した４つの端辺に設けられる導線と、第１の導線１０および第２の導線１１とによって囲まれる。
【００６４】
図６に示すように、開口部４０は、例えば、第２の導線１１のみ形成される場合、交差位置ＰＩまでの距離Ｄ５を変えることで、連続する３つの開口部４０が直線上に並ばないようにする。これにより、信号線領域３４は、例えば、第１電極領域３１に接続される信号線と、第１電極領域３１に接続されないダミー領域とに分離される。そして、信号線とダミー領域との境界線に相当する分離領域３５の開口部４０が直線上に並ばないことで、骨見えの発生を抑制することができる。
【００６５】
なお、図６では、開口部４０が第２の導線１１のみに形成される場合を示したが、第１の導線１０のみに形成されてもよく、第１の導線１０および第２の導線１１の双方に形成されてもよく、連続する３つが直線上に並ばない位置であればよい。
【００６６】
また、上記では、メッシュパターンやジグザグパターンのように所定の規則性に沿って、第１の導線１０および第２の導線１１が配列されたが、第１の導線１０および第２の導線１１が不規則に配列されたパターンであってもよい。また、第１の導線１０および第２の導線１１は、直線に限らず、曲線であってもよい。
【００６７】
また、上述した実施形態では、第１電極領域３１および第２電極領域３２が１つの配線領域３０に形成される、いわゆる１層回路のタッチパネル１について説明したが、２層回路のタッチパネル１であってもよい。ここで、図７および図８を用いて、２層回路のタッチパネル１について説明する。
【００６８】
図７および図８は、変形例に係るタッチパネル１を示す図である。図７では、タッチパネル１の概略正面図を示し、図８では、図７に示す分離領域３５の拡大図を示す。
【００６９】
図７に示すように、２層回路のタッチパネル１では、２層の導電性フィルム３ａ，３ｂが積層される。具体的には、導電性フィルム３ａは、第１電極領域３１が形成される配線領域３０ａを備え、導電性フィルム３ｂは、第２電極領域３２が形成される配線領域３０ｂを備える。
【００７０】
第１電極領域３１および第２電極領域３２それぞれは、例えば、ひし形状に区画されており、それぞれが市松模様状に配置される。そして、図８に示すように、第１電極領域３１および第２電極領域３２の境界部分である分離領域３５は、信号のやり取りを可能とするために、上面視で隙間が形成される。
【００７１】
具体的には、図８に示すように、第１電極領域３１の開口部４０と第２電極領域３２の開口部４０との距離Ｄ６を所定距離空けることで隙間を形成する。仮に、かかる隙間が直線状となった場合には、骨見えが発生するおそれがある。
【００７２】
そこで、変形例に係るタッチパネル１では、第１電極領域３１および第２電極領域３２それぞれの開口部４０について、連続する３つの開口部４０が直線上に並ばないようにする。これにより、２層回路のタッチパネル１において、骨見えによる製品の見栄えの悪化を防ぐことができる。
【００７３】
また、図８に示す例では、第１電極領域３１の各開口部４０と第２電極領域３２の各開口部４０との距離Ｄ６をすべて等しくすることが好ましい。換言すれば、第１電極領域３１の開口部４０によって形成される境界線と、第２電極領域３２の開口部４０によって形成される境界線とが略同じ形状となる。これにより、第１電極領域３１および第２電極領域３２の間を流れる電流値にムラが発生することを防止できる。
【００７４】
なお、図８では、第１電極領域３１および第２電極領域３２双方の開口部４０について連続する３つが直線上に並ばないように位置決めをしたが、第１電極領域３１および第２電極領域３２のいずれか一方の開口部４０のみ位置決めを行ってもよい。これにより、他方の開口部４０については位置決めすることなく直線上に断線させることができるため、設計コストを下げることができる。
【００７５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７６】
１    タッチパネル
２    パネル
３，３ａ，３ｂ    導電性フィルム
４    表示装置
１０    第１の導線
１１    第２の導線
２０    閉領域
３０    配線領域
３１    第１電極領域
３２    第２電極領域
３３    グランド領域
３４    信号線領域
３５    分離領域
３６    ダミー領域
４０    開口部
【図１Ａ】
2019091349.tif 000003
【図１Ｂ】
2019091349.tif 000004
【図１Ｃ】
2019091349.tif 000005
【図２】
2019091349.tif 000006
【図３】
2019091349.tif 000007
【図４】
2019091349.tif 000008
【図５】
2019091349.tif 000009
【図６】
2019091349.tif 000010
【図７】
2019091349.tif 000011
【図８】
2019091349.tif 000012